(57)【要約】【課題】屋根への負荷を抑制しつつアンテナを屋根に取り付けることができるアンテナ取付具を提供する。【解決手段】屋根１１の傾斜方向Ｄｉに沿う複数の頂部１３を交差方向（Ｄｏ）に架け渡して設けられた水上側設置部３０と、そこよりも水下側で複数の頂部１３を交差方向に架け渡して設けられた水下側設置部４０と、を備えるアンテナ取付具１０である。水上側設置部３０および水下側設置部４０には、頂部１３を交差方向で挟むことで頂部１３に固定される少なくとも２つの固定箇所３３が設けられ、水上側設置部３０は、複数の固定箇所３３が互いに異なる頂部１３に固定されて設けられ、水下側設置部４０は、取付対象とするアンテナ１２のアンテナ脚部２３を接触させる間隔を置いて水上側設置部３０と傾斜方向Ｄｉで対向されている。【選択図】図１
2019094658.tif 000002
【特許請求の範囲】
【請求項１】
屋根の傾斜方向に沿って伸びる複数の頂部を前記傾斜方向に交差する交差方向に架け渡して設けられた水上側設置部と、
前記水上側設置部よりも水下側で複数の前記頂部を前記交差方向に架け渡して設けられた水下側設置部と、を備え、
前記水上側設置部および前記水下側設置部には、前記頂部を前記交差方向で挟むことで前記頂部に固定される少なくとも２つの固定箇所がそれぞれに設けられ、
前記水上側設置部は、複数の前記固定箇所が互いに異なる前記頂部に固定されて設けられ、
前記水下側設置部は、取付対象とするアンテナのアンテナ脚部を接触させる間隔を置いて前記水上側設置部と前記傾斜方向で対向されていることを特徴とするアンテナ取付具。
【請求項２】
前記水上側設置部および前記水下側設置部には、前記交差方向の両端に互いが対向する方向に突出する制限箇所が設けられていることを特徴とする請求項１に記載のアンテナ取付具。
【請求項３】
前記固定箇所は、前記水上側設置部および前記水下側設置部において互いが対向する方向に突出して設けられていることを特徴とする請求項１または請求項２に記載のアンテナ取付具。
【請求項４】
請求項１から請求項３までのいずれか１項に記載のアンテナ取付具であって、
さらに、前記アンテナのアンテナ支柱を支持するアンテナ支線が固定される支線取付部を有し、
前記支線取付部は、前記水上側設置部の前記固定箇所が固定された前記頂部の水上側に固定されて設けられていることを特徴とするアンテナ取付具。
【発明の詳細な説明】
【技術分野】
【０００１】
本開示は、傾斜する屋根にアンテナを取り付けるアンテナ取付具に関する。
【背景技術】
【０００２】
従来、建物等の屋根にテレビアンテナを設置するために、アンテナの支柱を屋根に取り付けるアンテナ取付具が考えられている（例えば、特許文献１参照）。そのアンテナ取付具は、屋根を貫通させたボルトで台板を屋根に固定し、その台板に固定された支持ポストにアンテナの支柱を差し込んで固定することで、アンテナを屋根に固定している。
【先行技術文献】
【特許文献】
【０００３】
【特許文献１】実登第２６０１７８４号公報
【発明の概要】
【発明が解決しようとする課題】
【０００４】
しかしながら、上記したアンテナ取付具は、屋根を貫通するボルトで台板を屋根に固定しているので、屋根の防水性の低下を招く虞があるとともに、アンテナが倒れようとする力を屋根におけるボルトが固定された箇所で受けることで局所的に大きさ荷重が作用する虞がある。
【０００５】
本開示は、上記の事情に鑑みて為されたもので、屋根への負荷を抑制しつつアンテナを屋根に取り付けることのできるアンテナ取付具を提供することを目的とする。
【課題を解決するための手段】
【０００６】
上記した目的を達成するために、本開示のアンテナ取付具は、屋根の傾斜方向に沿って伸びる複数の頂部を前記傾斜方向に交差する交差方向に架け渡して設けられた水上側設置部と、前記水上側設置部よりも水下側で複数の前記頂部を前記交差方向に架け渡して設けられた水下側設置部と、を備え、前記水上側設置部および前記水下側設置部には、前記頂部を前記交差方向で挟むことで前記頂部に固定される少なくとも２つの固定箇所がそれぞれに設けられ、前記水上側設置部は、複数の前記固定箇所が互いに異なる前記頂部に固定されて設けられ、前記水下側設置部は、取付対象とするアンテナのアンテナ脚部を接触させる間隔を置いて前記水上側設置部と前記傾斜方向で対向されていることを特徴とする。
【０００７】
ここで、前記水上側設置部および前記水下側設置部には、前記交差方向の両端に互いが対向する方向に突出する制限箇所が設けられている構成とすることができる。また、前記固定箇所は、前記水上側設置部および前記水下側設置部において互いが対向する方向に突出して設けられている構成とすることができる。さらに、前記アンテナのアンテナ支柱を支持するアンテナ支線が固定される支線取付部を有し、前記支線取付部は、前記水上側設置部の前記固定箇所が固定された前記頂部の水上側に固定されて設けられている構成とすることができる。
【発明の効果】
【０００８】
このように構成された本開示のアンテナ取付具は、屋根への負荷を抑制しつつアンテナを屋根に取り付けることができる。
【０００９】
ここで、前記水上側設置部および前記水下側設置部には、前記交差方向の両端に互いが対向する方向に突出する制限箇所が設けられている構成であれば、水上側設置部と水下側設置部との間に設置したアンテナ脚部が交差方向に移動しようとしても、制限箇所がアンテナ脚部に接触することで当該移動を止めることができる。また、前記固定箇所は、前記水上側設置部および前記水下側設置部において互いが対向する方向に突出して設けられている構成であれば、水上側設置部と水下側設置部との間に設置したアンテナ脚部が交差方向に移動しようとしても、固定箇所がアンテナ脚部に接触することで当該移動を止めることができる。さらに、前記アンテナのアンテナ支柱を支持するアンテナ支線が固定される支線取付部を有し、前記支線取付部は、前記水上側設置部の前記固定箇所が固定された前記頂部の水上側に固定されて設けられている構成であれば、傾斜する屋根であってもより適切にアンテナを設置できるとともに、屋根における交差方向でのアンテナの設置のための専有範囲を小さなものにできる。
【図面の簡単な説明】
【００１０】
【図１】本開示に係るアンテナ取付具の一実施形態に係る一例としてのアンテナ取付具を用いてアンテナを屋根に取り付けた様子を示す説明図である。
【図２】アンテナ取付具における水上側設置部を示す斜視図である。
【図３】水上側設置部の各構成を分解して示す分解斜視図である。
【図４】アンテナ取付具における支線取付部を示す斜視図である。
【図５】支線取付部の各構成を分解して示す分解斜視図である。
【図６】各支線取付部、水上側設置部および水下側設置部を屋根に取り付けた様子を示す斜視図である。
【図７】図１に示す領域Ａを拡大して示す説明図である。
【発明を実施するための形態】
【００１１】
以下に、本開示に係るアンテナ取付具の一例としての実施例１のアンテナ取付具１０について図面を参照しつつ説明する。
【実施例１】
【００１２】
本開示に係るアンテナ取付具の一実施形態に係る実施例１のアンテナ取付具１０を、図１から図７を用いて説明する。アンテナ取付具１０は、建物１の屋根１１にアンテナ１２を取り付けるために用いるものである。
【００１３】
屋根１１は、所定のピッチで複数の頂部１３が並列されて設けられた平板状の屋根である（図６等参照）。屋根１１は、所定の方向に向けて傾斜されており、各頂部１３が傾斜方向Ｄｉへと伸びるものとされている。屋根１１は、本実施例では、傾斜方向Ｄｉと直交する直交方向Ｄｏに複数の溝板材（面材）が並列されるとともに、隣接する溝板材の間が目地カバーにより連結されて構成され、この目地カバーにより各頂部１３が形成されている（図６等参照）。屋根１１の下側には、それを支持する屋根フレームや天井が設けられており、屋根フレームとの間や目地カバーの裏面側等に適宜防水材が設けられている。実施例１の頂部１３では、上端近傍と比較してその下方の幅寸法（直交方向Ｄｏの寸法）が部分的に小さくされた括れ１４が設けられている。
【００１４】
なお、屋根１１は、傾斜方向Ｄｉへ伸びる複数の頂部１３が設けられているものであれば、他の構成でもよく、本実施例の構成に限定されない。その他の構成としては、例えば、ポリ塩化ビニル被覆鋼板が用いられて断面が波形状となるように折り曲げられて形成された折板屋根や、波形スレート板の屋根や、波形亜鉛鉄板の屋根や、波形ガラスの屋根や、波形プラスチック板の屋根や、平板部材に長尺な棒状部材が設けられた屋根等があげられる。
【００１５】
アンテナ１２は、アンテナ本体部２１と、アンテナ支柱２２（マスト）と、アンテナ脚部２３（屋根馬（ルーフベース））と、複数のアンテナ支線２４（ステー）と、を備える。アンテナ本体部２１は、放送信号等を受信したり信号を送信したりするために電磁波エネルギーを送受信する箇所である。アンテナ支柱２２は、アンテナ本体部２１を設置するための支柱である。アンテナ脚部２３は、アンテナ支柱２２を屋根１１に取り付けるものであり、実施例１ではアンテナ支柱２２が接続される箇所から４つの脚箇所２３ａに分岐して構成されている。各アンテナ支線２４は、アンテナ支柱２２を支えるためにアンテナ支柱２２を中心として張り渡されるものであり、実施例１ではワイヤーロープが用いられている。
【００１６】
アンテナ取付具１０は、アンテナ１２におけるアンテナ脚部２３の設置箇所を構成する水上側設置部３０および水下側設置部４０と、各アンテナ支線２４を屋根１１に取り付ける支線取付部５０と、を有する。水上側設置部３０と水下側設置部４０とは、屋根１１に設けられる際の位置と向きとが変わることを除くと互いに等しい構成とされている。
【００１７】
水上側設置部３０は、図２および図３に示すように、水上側設置金具３１と、２つの連結金具３２と、２つの固定箇所３３と、を有する。水上側設置金具３１は、長尺な板状の金属材料で構成され、複数の頂部１３を傾斜方向Ｄｉに交差する交差方向に架け渡して設けられ、実施例１では２つの頂部１３を直交方向Ｄｏに架け渡して設けられる（図６参照）。水上側設置金具３１では、直交方向Ｄｏの両端が水下側へとＬ字形状に折り曲げられて制限箇所３１ａが設けられている。また、水上側設置金具３１では、屋根１１の頂部１３側となる下端に、水上側へとＬ字形状に折り曲げられて設置箇所３１ｂが設けられている。水上側設置金具３１では、水下側の面が、後述するようにアンテナ１２のアンテナ脚部２３の脚箇所２３ａが宛がわれる内側面３１ｃとなる。
【００１８】
水上側設置金具３１では、図３を正面視して、左側に断面形状が円形とされた２つの取付穴３１ｄが直交方向Ｄｏに並んで設けられ、右側に断面形状が直交方向Ｄｏに伸びる長円形とされた２つの取付穴３１ｅが直交方向Ｄｏに並んで設けられている。この２つの取付穴３１ｄの一方と、２つの取付穴３１ｅの一方と、のそれぞれに連結金具３２が取り付けられる。
【００１９】
各連結金具３２は、水上側設置金具３１と各固定箇所３３とを連結するもので、板状の金属材料がＬ字形状に折り曲げられて構成され、設置側片３２ａと固定側片３２ｂとを有する。設置側片３２ａは、水上側設置金具３１への取り付け箇所となるもので、連結穴３２ｃが設けられている。固定側片３２ｂは、固定箇所３３が取り付けられる箇所であり、連結穴３２ｄが設けられている。各連結金具３２は、締結部材３４により水上側設置金具３１に固定される。
【００２０】
締結部材３４は、ボルト３４ａとナット３４ｂとバネ座金３４ｃと、を有する。ボルト３４ａは、水上側設置金具３１の取付穴３１ｄまたは取付穴３１ｅと、連結金具３２の連結穴３２ｃと、に通される。ナット３４ｂは、それらに通されたボルト３４ａに嵌められる。バネ座金３４ｃは、ナット３４ｂの内側でボルト３４ａに通される。締結部材３４は、２つの取付穴３１ｄの一方と、２つの取付穴３１ｅの一方と、を利用して、２つの連結金具３２の設置側片３２ａを水上側設置金具３１に取り付けることができる。
【００２１】
ここで、水上側設置金具３１では、取付穴３１ｄおよび取付穴３１ｅがそれぞれ直交方向Ｄｏに並んで２つずつ設けられているので、連結金具３２の取り付け位置を直交方向Ｄｏで調節することができる。また、水上側設置金具３１では、２つの取付穴３１ｅが長円形とされているので、連結金具３２の取り付け位置すなわち固定箇所３３の位置を微調整することができる。さらに、水上側設置金具３１では、連結金具３２がＬ字形状とされているので、連結金具３２の固定側片３２ｂの位置すなわち固定箇所３３の位置を直交方向Ｄｏで調節することができる。実施例１の各連結金具３２は、固定側片３２ｂが外側に位置する姿勢とされて、それぞれ外側の取付穴３１ｄおよび取付穴３１ｅを介して水上側設置金具３１に固定されている（図３参照）。この固定側片３２ｂに固定箇所３３が設けられる。
【００２２】
固定箇所３３は、屋根１１の頂部１３に取り付けられる一対の固定金具３５と、両固定金具３５を締結する締結部材３６と、を備える。両固定金具３５は、頂部１３を直交方向Ｄｏで挟んで設けられるもので、金属材料が折り曲げられて形成され、頂部１３の直交方向Ｄｏの中心を通る鉛直面に関して対称な形状とされている。両固定金具３５は、それぞれが固定片３５ａと、そこから上方に伸びる締結片３５ｂと、を有する。各固定片３５ａは、括れ１４を含めた頂部１３の側面の形状に倣って湾曲されており、頂部１３の両側面にそれぞれを宛がうことで、括れ１４に引っ掛かって抜け落ちることが防止された状態で頂部１３を挟むことができる。各固定片３５ａでは、頂部１３の両側面に宛がわれる内面に緩衝部材３７が設けられている。緩衝部材３７は、屋根１１の頂部１３に傷がつくのを抑制するために設けられ、実施例１では変形し易い支持体(ゴムシート基材)にブチルゴム系粘着剤を積層した防水気密用粘着テープが用いられ、各固定片３５ａの内面に貼り付けられている。各締結片３５ｂは、固定側片３２ｂに連結される箇所であり、平板状とされ、それぞれに締結穴３５ｃが設けられている。
【００２３】
締結部材３６は、固定箇所３３を連結金具３２に取り付けるもので、ボルト３６ａとナット３６ｂとバネ座金３６ｃとを有する。ボルト３６ａは、両固定金具３５の締結穴３５ｃと、連結金具３２の固定側片３２ｂの連結穴３２ｄと、に通される。ナット３６ｂは、それらに通されたボルト３６ａに嵌められる。バネ座金３６ｃは、ナット３６ｂの内側でボルト３６ａに通される。締結部材３６は、締結穴３５ｃと連結穴３２ｄとに通されたボルト３６ａの先端にバネ座金３６ｃとナット３６ｂとが嵌められて設けられ、各固定片３５ａが屋根１１の頂部１３に固定される前はボルト３６ａが緩められている。このように、固定箇所３３は、水上側設置金具３１（水上側設置部３０）において内側面３１ｃ側すなわち水下側設置金具４１（水下側設置部４０）と対向する方向に突出する方向に突出する連結金具３２の突起部分としての固定側片３２ｂに設けられており、対向する方向に突出されている。
【００２４】
水下側設置部４０は、上述したように、屋根１１に設けられる際の位置と向きとが変わることを除くと水上側設置部３０と互いに等しい構成とされている。このため、水下側設置部４０では、水上側設置部３０と同一の構成には同一の符号を付すとともに、後述する水下側設置金具４１における各構成に関しては水上側設置金具３１における符号の数字を３１から４１に変えるとともにその後に同一のアルファベットを付して示し、詳細な説明を省略する。水下側設置部４０は、水上側設置金具３１と向きを変えて設けられる水下側設置金具４１と、水上側設置部３０と同様の２つの連結金具３２および２つの固定箇所３３と、を有する（図６等参照）。水下側設置金具４１は、後述するように、水上側設置金具３１とは反転された姿勢で設けられ、内側面４１ｃが水上側設置金具３１の内側面３１ｃと傾斜方向Ｄｉで対向するものとされる（図６等参照）。
【００２５】
支線取付部５０は、図４および図５に示すように、屋根１１の頂部１３に取り付けられる一対の固定金具５１と、両固定金具５１に挟まれる取付金具５２と、両固定金具５１と取付金具５２とを締結する締結部材５３と、を備える。両固定金具５１は、頂部１３を直交方向Ｄｏで挟んで設けられるもので、固定箇所３３の両固定金具３５と同様の構成とされている。各固定金具５１は、固定片５１ａと締結片５１ｂとを有し、各固定片５１ａの内面に固定箇所３３の緩衝部材３７と同様の緩衝部材５４が設けられ、各締結片５１ｂに締結穴５１ｃが設けられている。
【００２６】
取付金具５２は、両固定金具５１の締結片５１ｂの間に設けられるもので、板状の金属材料で構成され、取付孔５２ａと締結穴５２ｂとが設けられている。取付孔５２ａは、アンテナ支線２４が取り付けられる箇所であり、両固定金具３５から上方に突出する位置に設けられている（図４等参照）。締結穴５２ｂは、両固定金具３５の後述するボルト５３ａが通される箇所であり、両締結片５１ｂに挟まれる位置に設けられている。
【００２７】
締結部材５３は、ボルト５３ａとナット５３ｂとバネ座金５３ｃとを有する。ボルト５３ａは、両固定金具５１の締結片５１ｂの締結穴５１ｃと、取付金具５２の締結穴５２ｂと、に通される。ナット５３ｂは、それらに通されたボルト５３ａに嵌められる。バネ座金５３ｃは、ナット５３ｂの内側でボルト５３ａに通される。締結部材５３は、締結穴５１ｃと締結穴５２ｂとに通されたボルト５３ａの先端にバネ座金５３ｃとナット５３ｂとが嵌められて設けられ、各固定片５１ａが屋根１１の頂部１３に固定される前はボルト５３ａが緩められている。
【００２８】
次に、アンテナ取付具１０を用いたアンテナ１２の屋根１１への取り付けについて説明する。なお、取り付けの順番に関しては、以下の説明と取り付けの構造（各部材の関係性）が等しいものであれば、適宜入れ替えてもよく、以下の例に限定されない。
【００２９】
先ず、図６に示すように、屋根１１の隣接する２つの頂部１３において、屋根１１の水上側先端から傾斜方向Ｄｉで水下側の所定の位置に一対の支線取付部５０を取り付けるとともに、そこからさらに水下側の所定の位置に一対の支線取付部５０を取り付ける。各支線取付部５０は、屋根１１の頂部１３に両固定金具５１の固定片５１ａを両側から宛がい、ボルト５３ａに対してナット５３ｂを締め付けることにより、頂部１３における所定の位置に固定する。このとき、頂部１３において各支線取付部５０が取り付けられる箇所に適宜補強部材を設けてもよく、実施例１では、頂部１３となる目地カバーが屋根１１の一部を構成するたる木１５にビス１５ａで固定されている箇所に各支線取付部５０を取り付けている。このように、実施例１では、２つの支線取付部５０が直交方向Ｄｏに並列して設けられ、その傾斜方向Ｄｉの水下側でも２つの支線取付部５０が直交方向Ｄｏに並列して設けられ、合わせて４つの支線取付部５０が四角形を形成する位置関係で設けられる。
【００３０】
その後、４つの支線取付部５０を取り付けた２つの頂部１３において、水下側の所定の位置に水上側設置部３０を設け、そのさらに水下側の所定の位置に水下側設置部４０を設ける。このとき、水上側設置部３０は、水上側設置金具３１の両制限箇所３１ａおよび内側面３１ｃが水下側に、水上側設置金具３１の設置箇所３１ｂが水上側に、それぞれ位置する姿勢とされて設置箇所３１ｂが頂部１３上に載せられる。また、水下側設置部４０は、水下側設置金具４１の両制限箇所４１ａおよび内側面４１ｃが水上側に、水下側設置金具４１の設置箇所４１ｂが水下側に、それぞれ位置する姿勢とされて設置箇所４１ｂが頂部１３上に載せられる。このため、水上側設置金具３１と水下側設置金具４１とは、互いの内側面３１ｃと内側面４１ｃとが傾斜方向Ｄｉで対向されている。この水上側設置部３０および水下側設置部４０は、屋根１１の頂部１３に両固定箇所３３の両固定金具３５の固定片３５ａを両側から宛がい、ボルト３６ａに対してナット３６ｂを締め付けることにより、頂部１３における所定の位置に固定される。この水上側設置部３０および水下側設置部４０は、水上側設置金具３１と水下側設置金具４１との間に、アンテナ１２のアンテナ脚部２３を設置する設置位置１６を形成する。
【００３１】
その後、図７に示すようにアンテナ脚部２３のうちの水上側の２つの脚箇所２３ａが水上側設置金具３１の内側面３１ｃに接しつつ、アンテナ脚部２３のうちの水下側の２つの脚箇所２３ａが水下側設置金具４１の内側面４１ｃに接するように、アンテナ脚部２３を設置位置１６に設置する。その後、図１に示すように、アンテナ脚部２３よりも水上側において、水下側で対を為す支線取付部５０の取付金具５２の取付孔５２ａにアンテナ支線２４の一端を固定し、その各アンテナ支線２４の他端をアンテナ支柱２２の下部に固定する。また、アンテナ脚部２３よりも水上側において、水上側で対を為す支線取付部５０の取付金具５２の取付孔５２ａにアンテナ支線２４の一端を固定し、その各アンテナ支線２４の他端をアンテナ支柱２２の上部に固定する。さらに、屋根１１の水下側先端に設けた雪止め金具１７に２つのアンテナ支線２４の一端を固定し、その２つのアンテナ支線２４の他端をアンテナ支柱２２の上部と下部とに固定する。実施例１では、雪止め金具１７に固定した両アンテナ支線２４の一端に保護チューブ１８を設けている。その後、アンテナ支柱２２にアンテナ本体部２１を設け、雪止め金具１７を通した同軸ケーブル１９をアンテナ本体部２１に接続することで、傾斜する屋根１１にアンテナ１２を設けることができる。
【００３２】
このように、アンテナ取付具１０は、直交方向Ｄｏに２つの頂部１３を架け渡しつつ水上側設置金具３１と水下側設置金具４１とを傾斜方向Ｄｉで対向させて設けることで、アンテナ脚部２３の設置のための設置位置１６を形成できる。その設置位置１６は、水上側設置金具３１の内側面３１ｃと水下側設置金具４１の内側面４１ｃとに脚箇所２３ａを接触させて、水上側設置金具３１と水下側設置金具４１とで挟むようにアンテナ脚部２３を設置させる。すると、アンテナ脚部２３は、屋根１１の傾斜により水下側へと落下することが水下側設置金具４１で防止されるとともに、屋根１１に沿う風の吹き上げにより水上側へと移動することが水上側設置金具３１で防止される。これにより、アンテナ取付具１０は、傾斜する屋根１１であっても、アンテナ脚部２３を安定して設置することを可能とする。その上で、アンテナ取付具１０は、各支線取付部５０を屋根１１に設けることで、アンテナ支柱２２を支える各アンテナ支線２４のうちの設置位置１６よりも水上側での屋根１１への固定を可能としており、傾斜する屋根１１であってもアンテナ１２を適切に設けることを可能とする。
【００３３】
加えて、アンテナ取付具１０は、固定箇所３３の両固定金具３５で頂部１３を直交方向Ｄｏで挟むことで水上側設置金具３１および水下側設置金具４１を屋根１１に固定し、両固定金具５１で頂部１３を直交方向Ｄｏで挟むことで各支線取付部５０を屋根１１に固定している。そして、アンテナ取付具１０は、アンテナ１２が倒れようとする力を、屋根１１における設置位置１６と各支線取付部５０が取り付けられた位置と雪止め金具１７が設けられた位置とに分散することができる。これらにより、アンテナ取付具１０は、屋根１１を傷付けることなく屋根１１に固定することができ、屋根１１の防水性を維持しつつ屋根１１に局所的な力が作用することを防止できる。特に、アンテナ取付具１０は、水上側設置部３０および水下側設置部４０の両固定金具３５の内側に緩衝部材３７を設けているとともに、各支線取付部５０の両固定金具５１の内側に緩衝部材５４を設けている。このため、アンテナ取付具１０は、頂部１３を痛めることをより適切に抑制しつつ頂部１３との間での摩擦力を高めて水上側設置部３０、水下側設置部４０および各支線取付部５０を設けることができ、それらの屋根１１への固定をより適切なものにできる。加えて、アンテナ取付具１０は、両固定金具３５と両固定金具５１とを同様の構成としているので、水上側設置部３０、水下側設置部４０および各支線取付部５０の製造コストの上昇を抑制できるとともに、それらの取り付け作業を容易なものにできる。
【００３４】
本開示に係るアンテナ取付具の一実施例のアンテナ取付具１０は、以下の各作用効果を得ることができる。
【００３５】
アンテナ取付具１０は、頂部１３を傾斜方向Ｄｉに交差する交差方向（直交方向Ｄｏ）に架け渡す水上側設置部３０および水下側設置部４０を、取付対象とするアンテナ１２のアンテナ脚部２３を接触させる間隔を置いて傾斜方向Ｄｉで対向させて設けている。このため、アンテナ取付具１０は、水上側設置部３０と水下側設置部４０との間（設置位置１６）にアンテナ脚部２３の設置させることで、アンテナ脚部２３が水上側や水下側へと移動することを防止でき、傾斜する屋根１１であってもアンテナ１２を適切に設けることができる。そして、アンテナ取付具１０は、頂部１３を交差方向で挟む固定箇所３３により水上側設置部３０および水下側設置部４０を頂部１３に固定しているとともに、アンテナ脚部２３を水上側設置部３０や水下側設置部４０に固定していない。このため、アンテナ取付具１０は、頂部１３を痛めることを抑制して水上側設置部３０および水下側設置部４０を設けることができるとともに、アンテナ１２が倒れようとする力が水上側設置部３０や水下側設置部４０を介して屋根１１に局所的に作用することを防止することができる。これにより、アンテナ取付具１０は、屋根１１への負荷を抑制しつつアンテナ１２を屋根１１に取り付けることができる。
【００３６】
また、アンテナ取付具１０は、水上側設置部３０および水下側設置部４０の交差方向の両端に互いが対向する方向に突出する制限箇所３１ａ、制限箇所４１ａを設けている。このため、アンテナ取付具１０は、設置位置１６に設置したアンテナ脚部２３が、風等を受けることで交差方向に移動しようとしても、各制限箇所３１ａおよび各制限箇所４１ａがアンテナ脚部２３（その脚箇所２３ａ）に接触することで当該移動を止めることができる。
【００３７】
さらに、アンテナ取付具１０は、水上側設置部３０および水下側設置部４０において、互いが対向する方向に突出させて固定箇所３３を設けている。このため、アンテナ取付具１０は、設置位置１６に設置したアンテナ脚部２３が交差方向に移動しようとしても、固定箇所３３がアンテナ脚部２３（その脚箇所２３ａ）に接触することで当該移動を止めることができる。特に、実施例１のアンテナ取付具１０は、水上側設置部３０および水下側設置部４０において、各制限箇所３１ａ、各制限箇所４１ａと固定箇所３３との双方が設けられているので、アンテナ脚部２３の交差方向への移動を極めて小さな範囲に制限することができる。
【００３８】
アンテナ取付具１０は、水上側設置部３０および水下側設置部４０の固定箇所３３が固定された頂部１３の水上側に支線取付部５０を固定し、そこにアンテナ支柱２２に接続したアンテナ支線２４を固定している。このため、アンテナ取付具１０は、傾斜する屋根１１であってもより適切にアンテナ１２を設置できるとともに、屋根１１における交差方向でのアンテナ１２の設置のための専有範囲を小さなものにできる。
【００３９】
したがって、本開示に係るアンテナ取付具としての実施例１のアンテナ取付具１０では、屋根１１への負荷を抑制しつつアンテナ１２を屋根１１に取り付けることができる。
【００４０】
以上、本開示のアンテナ取付具１０を実施例１に基づき説明してきたが、具体的な構成については実施例１に限られるものではなく、特許請求の範囲の各請求項に係る発明の要旨を逸脱しない限り、設計の変更や追加等は許容される。
【００４１】
例えば、実施例１では、水上側設置部３０および水下側設置部４０が屋根１１において隣り合う２つの頂部１３を架け渡して設けられていたが、３つ以上の頂部１３を架け渡して設けられていてもよく、実施例１の構成に限定されない。このとき、水上側設置部３０および水下側設置部４０では、２つ以上の頂部１３のそれぞれを固定箇所３３で挟み込むものであれば、架け渡す全ての頂部１３に対応して固定箇所３３を設けてもよく、任意の頂部１３に対応して固定箇所３３を設けてもよい。
【００４２】
また、実施例１では、水上側設置部３０および水下側設置部４０の固定箇所３３が固定された頂部１３の水上側に支線取付部５０を固定し、そこにアンテナ支柱２２を支持するアンテナ支線２４を固定している。しかしながら、支線取付部５０は、頂部１３を挟み込むものであれば、固定箇所３３が固定された頂部１３とは異なる頂部１３に固定されるものでもよく、実施例１の構成に限定されない。
【００４３】
さらに、実施例１では、水下側へと伸びる各アンテナ支線２４の一端を雪止め金具１７に固定していたが、屋根１１の水下側に各アンテナ支線２４の一端を固定するものであれば、支線取付部５０を用いてもよく、他の構成としてもよく、実施例１の構成に限定されない。また、実施例１では、アンテナ支線２４を水上側に４本かつ水下側に２本設けていたが、この本数は適宜設定すればよく、実施例１の構成に限定されない。
【００４４】
実施例１では、水上側設置部３０および水下側設置部４０が２つの頂部１３を直交方向Ｄｏに架け渡して設けられていたが、傾斜方向Ｄｉに交差する方向（傾斜方向Ｄｉを横切る方向）であればよく、実施例１の構成に限定されない。
【符号の説明】
【００４５】
１０  アンテナ取付具      １１  屋根      １２  アンテナ      １３  頂部      ２２  アンテナ支柱      ２３  アンテナ脚部      ２４  アンテナ支線      ３０  水上側設置部      ３１ａ  制限箇所      ３３  固定箇所      ４０  水下側設置部      ４１ａ  制限箇所      ５０  支線取付部      Ｄｉ  傾斜方向      Ｄｏ  （交差方向の一例としての）直交方向
【図１】
2019094658.tif 000003
【図２】
2019094658.tif 000004
【図３】
2019094658.tif 000005
【図４】
2019094658.tif 000006
【図５】
2019094658.tif 000007
【図６】
2019094658.tif 000008
【図７】
2019094658.tif 000009